(57)【要約】【課題】  上吊り式引き違い扉では、扉に設置する走行用ローラーとして、ローラーの外周が丸く内方に凹んだ丸型ローラーと、ローラーの外周が平らな平型ローラーと、ローラーの外周が外方に丸くなったＶ型ローラーがある。丸型ローラーや平型ローラーは、走行時に騒音を発するという問題がある。一方、Ｖ型ローラーは走行レールを平らにすると騒音の発生は少ないが、走行の安定性に欠ける。【解決手段】  本発明は、上吊り式引き違い扉に、Ｖ型ローラーを設置するとともに、扉の開閉時に扉を完全に開けたり閉めたりすることのできる開閉装置を設置し、該開閉装置の長尺の摺動レールが走行する走行レール内で開閉装置がブレるのを防止した。このブレ防止手段は、走行レールの両側壁内側に摺動レールが接しない程度の間隔を設けて、長手方向にブレ防止フランジを形成したものである。【選択図】図１
2014005713.tif 000002
【特許請求の範囲】
【請求項１】
鴨居の下部に走行レールを設置し、扉の上部にローラーと引き違い扉の開閉装置を設置した上吊り式引き違い扉の走行機構において、引き違い扉の開閉装置はダンパー、ダンパーを収納するダンパーケース、ダンパーケースの一端とダンパーのロッド先端に設置された一対のフック、これら一対のフック間に張設された引張バネ、およびフックとダンパーケースが摺動する長尺の摺動用レールからなり、該摺動用レールの両端にはＶ型ローラーが設置されていて、前記走行レールはＣ型チャンネル形状で走行レールの天面内側には開閉装置を作動させるストライクが取り付けられており、また走行レールの両側壁下部にはＶ型ローラーを走行させる平らな走行面が長手方向に形成されているとともに、走行レールの両側壁の内側にはＶ型ローラーよりも僅かに上方で、しかも摺動用レールに接しない間隙をもってブレ防止用フランジが長手方向に形成されていることを特徴とする上吊り式引き違い扉の走行機構。
【発明の詳細な説明】
【技術分野】
【０００１】  本発明は、上吊り式引き違い扉を確実に、しかも容易に開閉させることができる上吊り式引き違い扉の走行機構に関する。
【背景技術】
【０００２】  一般に、建具や家具に引き違い扉を設置する場合、二枚の扉を平行に走行させて開閉するようにしている。該引き違い扉は上部の鴨居と下部の敷居に平行な二本ずつの溝を刻設し、それぞれ内側の溝と外側の溝に扉を設置していたものである。かつての日本家屋における引き違い扉を代表する襖は、デザイン的に畳の部屋に適応しており、押入れの出し入れ口や部屋と部屋の間仕切りとして多く使用されてきた。この襖は、細い木製の外枠と、該外枠の中に格子状に組み込まれた桟と、そして桟上に貼り付けられた襖紙からなるものである。襖は、鴨居の溝と敷居の溝間に置かれ、襖の下部が敷居の溝上を摺動することにより襖の開閉が行われる。しかしながら、襖では襖下部の細長い面が敷居の細長い面上を滑って走行するという面接触であるため、襖の開閉時に多少抵抗があった。それでも襖は、細い木製の外枠や桟、それに襖紙から構成された重量が軽いものであることから、比較的弱い力で開閉することができる。【０００３】  ところで今日の家屋では、洋風の間取りを取り入れるようになってきたため、部屋には畳を用いず、木の板や樹脂板を床一面に貼りつめたフローリングが多く用いられるようになってきている。このフローリングの部屋には、襖は適応しないことから、襖の代わりに扉全体が木製であったり、木製の枠にガラスやプラスチックを嵌め込んだりした引き違い扉が採用されている。【０００４】  これら木製の引き違い扉は、襖に比べて重量が重くなっており、細長い扉下部と敷居の溝との面接触で走行させるようにすると相当に強い力が必要であり、力の弱い老人や子供では開閉しにくいものとなる。そこで木製の引き違い扉では、開閉が容易に行えるように、扉下部にローラーを取り付け、敷居に敷設したレール上を走行させる下置き式引き違い扉や、扉上部にローラーを取り付け、該ローラーで扉を吊るしながら鴨居に敷設したレール内を走行させる上吊り式引き違い扉が多く採用されるようになってきた。また一般のクローゼットや食器棚に引き違い扉を用いた場合も、やはり円滑な開閉を行うため、扉にローラーを取り付けることが多い。【０００５】  しかしながら、ローラーの設置で開閉が楽に行えるようになった引き違い扉では、扉の走行があまりにも良好すぎて、扉を閉めるときに、少しでも強い力で扉を走行させると、勢いの付いた扉は、引き違い扉を設置した横の外枠に衝突して大きな衝突音を発したり、外枠に跳ね返されて扉が少し戻って開いたりすることがあった。これは扉を閉めるときばかりでなく、扉を開けるときにも同様に大きな衝突音や扉の戻りが生じていた。【０００６】  さらに引き違い扉では、扉を急いで開けたり、閉めたりしたときに、扉の開位置（扉が完全に開いた状態）または閉位置（扉が完全に閉まった状態）の途中で止まってしまうことがある。また引き違い扉では、開閉時に或る程度の強さで扉を走行させれば、扉は完全に開く位置や閉まる位置が分かっている人が、いつもの適当な力で開閉したときに、その強さが少しでも弱いと扉は完全に開いたり閉まったりせずに途中で走行を停止し、少し開いた状態となることがあった。このように引き違い扉において、扉が少し開いた状態となっていることは、見た目に好ましいもので��ないばかりでなく、空調設備で温度調節された空気が少し開いた扉から流出してしまうため、冷房や暖房の効果を減縮させてしまうものである。
【先行技術文献】
【特許文献】
【０００７】  これら引き違い扉における問題点に鑑み、扉を勢いよく開閉しても扉の勢いを緩衝させて、扉の衝突音や扉の戻りをなくすとともに、扉を完全に閉位置や開位置まで走行させなくても、扉を閉位置や開位置に対して或る程度の位置まで走行させれば、その後は扉が自動的に閉位置や開位置まで完全に走行させることができるという引き違い扉の開閉装置（以下、単に開閉装置という）が提案されていた。（特許文献１〜４）【０００８】
【特許文献１】特開２００８−１４４５６７号公報
【特許文献２】特開２００９−１２７２９３号公報
【特許文献３】特開２００９−２８７３５５号公報
【特許文献４】特開２０１０−２４７４４号公報
【０００９】  ところで開閉装置では、開閉装置を鴨居に設置し、該開閉装置の作動用ストライクを扉の上部に設置するものと、開閉装置を扉の上部に設置し、該開閉装置の作動用ストライクを鴨居に設置するものとがある。【００１０】  開閉装置を鴨居に設置するものでは、扉を走行させる走行レールを鴨居に設置することができないため、当然、走行レールを敷居に設置するという下置き式引き違い扉となる。しかしながら、下置き式引き違い扉は、走行レールを敷居に設置するため、走行レール上を走行するローラーの音が敷居から更にその下に伝播する。従って、下置き式引き違い扉では、それを設置した階層が上層階であると、走行レール上を走行するローラーの音が下層階まで響いて騒音問題となってしまう。特に、重量が重い扉では走行レール上を走行するローラーの発する音が大きいため、騒音問題は、より深刻となる。【００１１】  一方、開閉装置を扉の上部に設置し、該開閉装置の作動用ストライクを鴨居に設置するものでは、上吊り式引き違い扉となる。この上吊り式引き違い扉は、鴨居下部に走行レールを設置し、扉上部にローラーを設置して、該走行レール内でローラーを走行させることができるため、走行レールとローラーから音が発せられても、下層階に伝播することはない。従って、上吊り式引き違い扉は、近時の高層マンションの建具や家具に適したものといえる。【００１２】  一般に、家具や建具に使用するローラーとしては、丸型ローラーと、平型ローラーと、Ｖ型ローラーがある。【００１３】  丸型ローラーとは、ローラーの外周が略半円形の凹みとなっており、丸型ローラーが走行する走行レールは、上部がローラーの凹みと合致する断面略半円形の凸状となっている。丸型ローラーは、凹み部が走行レールの凸状部と接触して走行するため、ローラーが走行レールから外れにくく、安定した走行状態が得られるという特長がある。しかしながら、丸型ローラーは、ローラーの凹みと走行レールの凸状部とは線接触となるため、重量の重い扉では走行時に騒音を発するものである。【００１４】  平型ローラーは、ローラーの外周部分が平らとなっており、該平らな部分と接する走行レールも平らである。この平型ローラーは、丸型ローラーよりも安定性に欠けるため、走行レールは和式の建具の敷居ようにローラーの両側を保持する長い溝が必要である。しかも平型ローラーは、丸型ローラー同様にローラーとは線接触となるため、重量の重い扉では、やはり走行時に騒音を発するものである。【００１５】  Ｖ型ローラーは、ローラーの外周部分がＶ字状や円弧状のものであり、Ｖ型ローラーに使用する走行するレールは、Ｖ型ローラーの外周部分と略同一形状のＶ字状溝や円弧状溝である。このＶ字型ローラーも外周部分と略同一形状の溝となったレールを走行する場合、ローラーがレールから外れにくくなるため、安定した走行が得られる。しかしながら、Ｖ型ローラーは、該溝レールを走行する場合、丸型ローラーや平型ローラー同様、ローラーとレールとが線接触になるため、重量の重い扉では、走行時に騒音を発してしまう。ところが、Ｖ型ローラーでは、走行レールが平らであれば、ローラーとの接触が点接触となることから、走行時の騒音発生は丸型ローラーや平���ローラーに比べて少なく、しかも丸型ローラーや平型ローラーに比べて走行時の抵抗が少ないため、軽く走行させることができるようになる。
【発明の概要】
【発明が解決しようとする課題】
【００１６】  特許文献１は、開閉装置を鴨居に設置し、ストライクを扉の上部に設置するものであるため、引き違い扉は下置き式となる。下置き式引き違い扉は、前述のように敷居に設置した走行レール上をローラーが走行することから、騒音が下層階に伝播するという問題がある。また特許文献４は開放装置を扉の上部に設置するものであるが、扉の下部にローラーを設置した下置き式引き違い扉であり、やはり騒音が下層階に伝播する問題がある。【００１７】  特許文献２、３は、開閉装置とローラーを扉の上部に設置した上吊り式引き違い扉であるため、騒音が下層階に伝播することはない。しかしながら、特許文献２，３の上吊り式引き違い扉は、ローラーが丸型ローラーであることから、走行時、室内に騒音が響き渡ってしまうものである。【００１８】  本発明は、開閉装置を扉の上部に設置した上吊り式引き違い扉であり、ローラーとしてＶ型ローラーを使用しているにも係わらず、安定した走行が得られるという上吊り式引き違い扉の走行機構を提供することにある。
【課題を解決するための手段】
【００１９】  本発明者は、引き違い扉の開閉装置は、長尺の摺動レールが走行レール内を走行するものであることから、摺動レールを走行レール内で安定させた状態で移動させることができれば、Ｖ型ローラーを平らな走行レール上で安定走行させることができることに着目して本発明を完成させた。【００２０】  本発明は、鴨居の下部に走行レールを設置し、扉の上部にローラーと引き違い扉の開閉装置を設置した上吊り式引き違い扉の走行機構において、引き違い扉の開閉装置はダンパー、ダンパーを収納するダンパーケース、ダンパーケースの一端とダンパーのロッド先端に設置された一対のフック、これら一対のフック間に張設された引張バネ、およびフックとダンパーケースが摺動する長尺の摺動用レールからなり、該摺動用レールの両端にはＶ型ローラーが設置されていて、前記走行レールはＣ型チャンネル形状で走行レールの天面内側には開閉装置を作動させるストライクが取り付けられており、また走行レールの両側壁下部にはＶ型ローラーを走行させる平らな走行面が長手方向に形成されているとともに、走行レールの両側壁の内側にはＶ型ローラーよりも僅かに上方で、しかも摺動用レールに接しない間隙をもってブレ防止用フランジが長手方向に形成されていることを特徴とする上吊り式引き違い扉の走行機構である。
【発明の効果】
【００２１】  本発明によれば、開閉装置の長尺の摺動レールが横ブレするのを防止できることから、走行レールの平らな面上をＶ型ローラーが蛇行することなく走行できる。従って、本発明では平らな走行レール上を走行するローラーの走行が安定となり、しかも重い扉であっても軽い力で開閉できるという従来にない優れた効果を奏するものである。
【図面の簡単な説明】
【００２２】
【図１】本発明上吊り式引き違い扉の走行機構の正面概略図
【図２】本発明上吊り式引き違い扉の走行機構の側面図
【図３】図２の要部拡大断面図
【図４】本発明発明上吊り式引き違い扉の走行機構の分解斜視図
【図５】本発明に使用する開放装置の分解斜視図
【図６】本発明に使用する開放装置を下方からみた斜視図
【図７】（ａ）開放装置に使用するフックの正面図、（ｂ）同平面図、（ｃ）同底面図、（ｄ）同左側面図
【図８】（ａ）開放装置に使用する摺動レールの正面図、（ｂ）同平面図、（ｃ）同底面図、（ｄ）同左側面図
【図９】本発明発明上吊り式引き違い扉の走行機構における開放装置とＶ型ローラーの取付状態を説明する斜視図
【図１０】本発明発明上吊り式引き違い扉の走行機構において開閉装置の作動前を説明する平面図
【図１１】開閉装置がストライクによって作動させられ後を説明する開閉装置の平面図
【図１２】（ａ）本発明に使用する吊り用Ｖ型ローラーの正面図、（ｂ）同底面図、（ｃ）同左側面図
【図１３】（ａ）本発明に使用する保持用Ｖ型ローラーの正面図、（ｂ）同平面図、（ｃ）同左側面図
【図１４】（ａ）開放装置を作動させるストライクの正面図、（ｂ）同平面図、（ｃ）同底面図、（ｄ）同右側面図
【図１５】（ａ）本発明に使用する走行レールの正面図、（ｂ）同底面図、（ｃ）同左側面図
【００２３】  本発明の上吊り式引き違い扉の走行機構（以下、単に上吊り式走行機構という）は、図１に示すように、開閉装置Ｋ、Ｖ型ローラーＶ、走行レールＲ、ストライクＳから構成されている。開閉装置Ｋは一端が扉Ｔの上部で戸先側Ｆの近傍になるところに設置し、Ｖ型ローラーＶは開閉装置Ｋの両端部と扉Ｔの戸後側Ｂに設置し、走行レールＲは鴨居Ｌの下部に設置し、そしてストライクＳは走行レールＲの天面下部に設置する。上吊り式走行機構では、扉の下部が横揺れしないように、図２の如く敷居ＣにガイドレールＧを敷設し、該ガイドレールに扉下部に刻設した長溝Ｍを嵌合させる。【００２４】  開放装置Ｋの主要部は、図５に示すように、ダンパー１０、ダンパーケース２０、一対のフック３０、３０引張バネ４０から構成されている。【００２５】  ダンパー１０は、円筒状のシリンダー１１のロッド口からロッド１２が出入自在に突出しており、ロッド１２がシリンダー１１内に押し込まれるときに、ロッドにかかる力を緩衝して、ロッドをシリンダー内にゆっくりと移動させるものである。ロッド先端には、軸受部１３が固定されている。【００２６】  ダンパーケース２０には、一端に底壁２１、他端に開口壁２２が立設しており、底壁２１と開口壁２２間に前述ダンパー１０のシリンダー１１が収納されている。ダンパーケース２０の下部には摺動溝２３が長手方向に刻設されており、また底壁２１の外側には軸受部２４が形成されている。【００２７】  フック３０は、ロッド１２先端の軸受部１３に取り付けるフック３０とダンパーケース２０の底壁２１の軸受部２４に取り付ける一対のものであるが、両フックとも左右対称の同一形状となっているため、一方のフックについては図７で説明し、もう一方のフックは説明を省略する。【００２８】  図７で示すように、フック３０の上面他端には、一段と低くなった平らな面が形成されていて、ここに軸３１が立設されており、中央側面に凹部３２が形成されている。該凹部の軸３１に近い部分が後述ストライクと当接してフックを回動させる作動部３３である。そして凹部３２の作動部３３と対向する部分が係合部３４であり、該係合部は、ストライクに係合してフックを移動させるものである。【００２９】  フック３０の凹部３２の反対側の側面には、軸３１側を低くした段差が形成されており、該段差の部分が係合段部３５となっている。該係合段部は縦方に細長い面となっていて後述摺動レールの係合突片と係合するものである。またフック３０の下面で軸３１の反対側には摺動突起３６が突設されており、さらにフック３０の下面にはバネ係止部３７が形成されている。該バネ係止部の形成位置は、図７（ｄ）に示すように軸３１よりも係合段部３５側となるところである。【００３０】  引張バネ４０は、図６に示すように、両端がフック３０のバネ係止部３７に係止されている。該引張バネは、ダンパーのロッドがシリンダーの最奥まで引っ込んだ状態であっても、まだ引張り力を残す程度のバネ力で張設されている。引張バネ４０を係止するフック３０のバネ係止部３７は、軸３１よりも係合段部３５側にあるため、引張バネ４０をそれぞれのフックのバネ係止部３７、３７に係止させてフックを引張り状態にすると、図１０��示すように、フック３０、３０は軸３１を中心にしてそれぞれ係合段部３５方向（矢印Ｘ方向）に回転するような付勢がなされている。【００３１】  摺動用レール５０は、図１に示すように、幅広の扉Ｔに対してもかなりな長尺となっている。該摺動レールは、図８に示すように、断面略「コ」字形を立てた形状であり、一方の側壁５１の上部には係合突片設置用のネジ挿入孔５２、５２が穿設されている。該ネジ挿入孔の部分には、図４示すように、二個の細長いブロック状の係合突片５３、５３が摺動用レール５０の内側にネジにより固定されている。係合突片５３の厚さは前述フック３０の係合段部３５における段差の横幅と略同一となっている。係合突片５３の設置位置は、図１０に示すように、ダンパー１０、ダンパーケース２０、一対のフック３０、３０、引張バネ４０からなるものを摺動用レール５０内に置いてダンパー１０のロッド１２を略最長に伸ばした状態のときに、一対のフック３０、３０が二個の係合段部３５、３５に係合できる位置である。【００３２】  また図８に示すように、摺動用レール５０のもう一方の側壁５４の上部には、屈曲辺５５が長手方向内側に向けて形成されている。該屈曲辺の下面と摺動用レール５０の底面５６間は、前述ダンパーケース２０の高さよりも僅かに広い間隔、即ちダンパーケース２０がこの間を容易に摺動できる間隔になっており、ダンパーケース２０が摺動用レール５０内で上方に外れようとしても、ダンパーケース２０が屈曲辺５５の下面で抑えられ、上方に外れるのを拘束している。【００３３】  さらに摺動用レール５０の底面５６には、ガイド突条５７が長手方向に形成されている。該ガイド突条の厚さは前述ダンパーケース２０の摺動溝２３の幅よりも僅かに小さく、またその高さはダンパーケース２０の摺動溝２３の深さと略同一となっている。従って、ダンパーケースの摺動溝２３をガイド突条５７に嵌合させたときに、ダンパーケース２０がガイド突条５７に沿って容易に摺動できるようになっている。また摺動用レール５０の側壁５４の内側下部とガイド突条５７の間は、ガイド溝５８となっており、前述フック３０の摺動突起３６が容易に摺動することができる間隔となっている。【００３４】  ガイド突条５７には、部分的に切り欠き５９が二箇所に形成されている。該切り欠きの形成箇所は、図１０に示すように、フック３０の係合段部３５を係合突片５３に係合させたときにフック３０の摺動突起３６が位置するところであり、切り欠き５９の大きさはフック３０の摺動突起３６が容易に通過できる大きさである。実施例では、切り欠き形成箇所のガイド突条に二連の穴を穿設することにより切り欠きを形成してある。【００３５】  本発明に使用するＶ型ローラーＶには、吊り用Ｖ型ローラー６０と保持用Ｖ型ローラー６１がある。吊り用Ｖ型ローラー６０は、図１２に示すように、断面コ字型形状となった本体６２の両側に二個づつ、計四個のローラー６３・・・が回転自在に取り付けられている。また本体６２の略中央下部には連結体６４を介して埋め込みブロック６５が取り付けられている。連結体６４は埋め込みブロック６５の端部近くに取り付けられており、本体６２の一部が埋め込みブロック６５から外方に突出している���この外方に突出している部分にはネジ挿入孔６６、６６が穿設されている。吊り用Ｖ型ローラー６０は、二組使用し、それぞれ扉Ｔの戸先側Ｆの上部と戸後側Ｂの上部に取り付けて固定する。吊り用Ｖ型ローラー６０の扉Ｔへの取り付けは、図１に示すように、扉Ｔの上部両端部に刻設した埋め込み溝６７、６７に埋め込みブロック６５を埋め込むことによりなされる。戸先側Ｆに取り付ける吊り用Ｖ型ローラー６０は、ネジ挿入孔６６にネジを挿入して、開閉装置Ｋの摺動レール５０の一端とジョイント６８で接続される。【００３６】  また保持用Ｖ型ローラー６１は、図１３に示すように、平らな本体６９の一端から斜め上方に屈曲した傾斜部７０の両側に一個づつのローラー７１、７１が回動自在に取り付けられている。本体６９には二個のネジ挿入孔７２、７２が穿設されており、該ネジ挿入孔にネジを挿入して摺動レール５０の他端と接続される。【００３７】  ストライクＳは、図１４に示すように、矩形の本体７３の中央一側が断面略半楕円形となった係合突起７４が形成されており、また本体には二箇所に取り付け孔７５、７５が穿設されている。ストライクの取り付け位置は、待機状態から扉を走行させて開位置、または閉位置に到達させる途中で扉の勢いを弱めるに適した位置である。【００３８】  走行レールＲは、図１５に示すように、Ｃ型チャンネル形状であり、両側壁７６、７６の下部内側には折り返し辺７７、７７が長手方向に形成されている。該折り返し辺の上側は、平らな走行面７８、７８となっている。走行面７８から側壁７６にかけては傾斜が付されている。該傾斜は隅部の肉厚を厚くして走行面７８に大きな力が掛かっても、折り返し辺の強度を十分に持たせるためである。相対向する折り返し辺７７、７７の間隔は、図２、３に示すように、前述吊り用Ｖ型ローラー６０本体６２の両側に設置したローラー６３、６３、および保持用Ｖ型ローラー６１の傾斜部７０の両側に設置したローラー７１、７１の接地部が走行面７８に十分に乗ることができる間隔である。【００３９】  また走行レールＲには、両側壁７６、７６の内側上部に、やはり長手方向に一対のブレ防止用フランジ７９、７９が形成されている。図３に示すように、相対向するブレ防止用フランジ７９、７９の間隔は、開閉装置Ｋの摺動レール５０に接しない程度のものであり、該間隔は、摺動レールが横方にブレようとしたときに、ブレを防止し、ローラーが走行面７８から脱輪しないようになっている。またブレ防止用フランジ７９は、ローラー６３、７２よりも僅か上方の位置であり、ローラーが上方に持ち上がろうとしたときに、ローラーの持ち上がりを防止するものでもある。【００４０】  さらに走行レールＲには、天面内側に二本のストライク用突条８０、８０が長手方向に形成されている。該ストライク用突条間の幅は、前述ストライクの横幅と略同一であり、ここにストライクを取り付けるものである。この走行レールＲは、建具等の鴨居に取り付けるものであるため、走行レールの天面には図示しない走行レール取り付け用として複数のネジ挿入孔が穿設されている。【００４１】  ここで本発明の上吊り式走行機構の組み立てについて説明する。図４は組み立て前の上吊り式走行機構の分解斜視図���ある。先ず、前述の如く、ダンパー１０をダンパーケース２０に収納し、ロッド１２の先端に軸受部１３を取り付ける。そして一対のフック３０、３０に立設した軸３１、３１をそれぞれダンパーケース２０の軸受部２４とロッド１２の先端に取り付けた軸受部１３に挿入する。その後、それぞれのフック３０、３０のバネ係止部３７、３７に引張バネ４０の両端部を係止する。【００４２】  そして摺動用レール５０内に上記のようにして組み立てられたものを挿入する。このとき先ず一個の係合突片５３を摺動用レール５０の内側の所定の位置に置いて、係合突片設置用のネジ挿入孔５２からネジで取り付けておく。そして摺動用レール５０の開口した部分からフック３０の摺動突起３６をガイド溝５６に入れるとともに、ダンパーケース２０の摺動溝２３をガイド突条５７に嵌合させて前記組み立てたものを摺動用レール５０内に設置する。その後、もう一つの係合突片５３を所定の位置に置いてネジで固定する。そして摺動用レール５０の両端に吊り用Ｖ型ローラー６０と保持用Ｖ型ローラー６１が接続されたものを扉の上部にネジで取り付ける。【００４３】  このようにして摺動用レール５０内の所定の位置に、二個の係合突片５３、５３を取り付け、ダンパー１０が収納されたダンパーケース２０を設置する。その後、図１０に示すように、一対のフック３０、３０は引張バネ４０のバネ力に抗してロッド１２が略最長になるまで相反する方向に引き伸ばし、フック３０、３０の係合段部３５、３５を摺動用レール５０の係合突片５３、５３に係合させる。【００４４】  開閉装置では、図１０に示すように、フック３０に形成された係合段部３５が係合突片５３に係合していて、まだフックがストライクと係合していないときは、ダンパーのロッドが最長に突出しており、引張バネも最長で最強のバネ力となっている。このときは扉が完全な開状態でもなく、また閉状態でもないという所謂「待機状態」である。そして扉が閉位置方向、または開位置方向に移動してフックがストライクに当たると、ストライクがフックの係合段部３５を係合突片５３から係合を解除する。すると図１１に示すように、フックは引張バネに引張られて扉を開または閉方向に走行させる。このとき扉は、引張バネの強いバネ力で勢いよく走行するが、ダンパーがこの勢いを緩衝して、減速しながら扉を完全に開位置又は閉位置に移動させるようになっている。【００４５】  また扉を勢いよく閉めたり開けたりした場合も、ストライクがフックの係合段部３５を係合突片５３から係合を解除するとともに、ダンパーが扉の勢いを緩衝して扉を完全に開位置又は閉位置にするようになっている。【００４６】  次に本発明上吊り式走行機構における走行状態について説明する。図１に示すように、引き違い扉Ｔは戸先側Ｆが途中まで開いた状態であり、このとき扉Ｔに取り付けられた開閉装置Ｋでは、図１０に示すように、ロッド１２先端に設置されたフック３５とシリンダーケース２０に設置されたフック３５は、摺動レール５０に設置された係合突片５３、５３に係合されている。そして扉Ｔを開方向、即ち戸後側Ｂ方向へ移動させると、フック３０の作動部３３が走行レールＲに取り付けたストライクＳにあたり、フックが係合突片５３から外れるとともにフックの係合部３５がストライクＳと係合する。するとフック３０は引張バネ４０で引張られるため、開閉装置が取り付けられた扉Ｔはさらに開く方向、即ち戸後側Ｂ方向へ移動する。この移動は、開閉装置Ｋの両側に接続されたＶ型ローラーＶが走行レールＲ上にあるため、Ｖ型ローラーの走行により行われ、開閉装置Ｋの長尺の摺動レール５０は走行レールＲ内を移動する。【００４７】  開閉装置に接続された吊り用Ｖ型ローラー６０のローラー６３は、図２、３に示すように、ローラーの接地部分がローラー６３の平らな走行面７８に上にある。このとき平らな走行面とローラーの接地部分は略点接触であるため、騒音の発生は極めて少なく、しかも軽い力で走行させることができる。Ｖ型ローラーは、平らな面での走行が非常に不安定となるが、吊り用Ｖ型ローラー６０のローラー６３と保持用Ｖ型ローラー６１を接続した開閉装置Ｋの摺動レール５０の上部両側には、走行レールの両側壁内側にブレ防止用フランジ７９、７９が形成されているため、走行レール内を移動する長尺の摺動レール５０は、該ブレ防止用フランジで横ブレが拘束されて安定した走行となる。また該ブレ防止用フランジは、吊り用Ｖ型ローラー６０のローラー６３や保持用Ｖ型ローラー６１の上部より僅か上方に形成されているため、ローラーが上方に移動しようとしても、その移動も拘束されて安定した走行となる。
【産業上の利用分野】
【００４８】  本発明は、押入れ、部屋の間仕切り、家具に限らず、二枚の扉が引き違いになっているものであれば、如何なるところにも採用できることは言うまでもない。
【符号の説明】
【００４９】  Ｋ  開閉装置
Ｖ  Ｖ型ローラー
Ｒ  走行レール
Ｓ  ストライク
１０  ダンパー
１１  シリンダー
１２  ロッド
１３  軸受部
２０  ダンパーケース
２１  底壁
２２  開口壁
２３  摺動溝
２４  軸受部
３０  フック
３１  軸
３２  凹部
３３  作動部
３４  係合部
３５  係合段部
３６  摺動突起
３７  バネ係止部
４０  引張バネ
５０  摺動レール
５１  側壁
５２  ネジ挿入孔
５３  係合突片
５４  側壁
５５  屈曲辺
５６  底面
５７  ガイド突条
５８  摺動用レール
５９  切り欠き
６０  吊り用Ｖ型ローラー
６１  保持用Ｖ型ローラー
６２  吊り用Ｖ型ローラー
６３  ローラー
６４  連結体
６５  埋め込みブロック
６６  ネジ挿入孔
６７  埋め込み溝
６８  ジョイント
６９  保持用Ｖ型ローラー本体
７０  傾斜部
７１  ローラー
７２  ネジ挿入孔
７３  ストライク本体
７４  係合突起
７５  取り付け孔
７６  走行レールの側壁
７７  折り返し辺
７８  走行面
７９  ブレ防止用フランジ
８０  ストライク用突状
【図１】
2014005713.tif 000003
【図２】
2014005713.tif 000004
【図３】
2014005713.tif 000005
【図４】
2014005713.tif 000006
【図５】
2014005713.tif 000007
【図６】
2014005713.tif 000008
【図７】
2014005713.tif 000009
【図８】
2014005713.tif 000010
【図９】
2014005713.tif 000011
【図１０】
2014005713.tif 000012
【図１１】
2014005713.tif 000013
【図１２】
2014005713.tif 000014
【図１３】
2014005713.tif 000015
【図１４】
2014005713.tif 000016
【図１５】
2014005713.tif 000017